(57)【要約】【課題】ユニットハウスの組立て又は組合せ施工時に、ユニットハウス内におけるパッシブセンサー等の警備装置の設置を同時に行い、さらにその配線部の結線についても簡単にあるいは同時に行うことが可能であると共に、防犯警備として安全性を保持し、かつ十分に機能するセキュリティーハウスを提供することである。【解決手段】セキュリティーハウス１は、警備装置であるパッシブセンサー８とその配線部３とをユニットハウス２の天井部１２に予め内蔵すると共に、パッシブセンサー８及び配線部３は電源設備１０を共有しており、このユニットハウス２の組立て場所において、その組立て施工時にその配線部３を前記電源設備１０と接続するようにしたことを特徴とする。【選択図】図１
2004310535.tif 000002
【特許請求の範囲】
【請求項１】
警備装置であるパッシブセンサーとその配線部とをユニットハウスの天井部に予め内蔵すると共に、前記パッシブセンサー及び配線部は電源設備を共有しており、このユニットハウスの組立て場所において、その組立て施工時にその配線部を前記電源設備と接続するようにしたことを特徴とするセキュリティーハウス。
【請求項２】
前記ユニットハウスに通報装置と制御装置とを設け、前記パッシブセンサーからの感知信号を受けて、前記制御装置の制御により前記通報装置が動作するようにした請求項１に記載されたセキュリティーハウス。
【請求項３】
前記ユニットハウスの複数棟の組合わせ施工時に、各ユニットハウスの配線部が相互に結線される請求項１又は２に記載されたセキュリティーハウス。
【発明の詳細な説明】
【０００１】
【発明の属する技術分野】
本発明は、予め警備装置であるパッシブセンサー及びその配線部等をユニットハウスの天井部に内蔵させ、このユニットハウスの単数棟を組立て又は複数棟を組み合わせてなるセキュリティーハウスに関するものである。
【０００２】
【従来の技術】
工事現場などにおいて、ユニットハウスの単数棟又は複数棟を組立てあるいは組合わせてなる仮設住宅においても、その仮設住宅内に各種の機器設備や機密資料等がそのまま配備されることが多いため、最近では、仮設住宅等についても相応の防犯警備システムの設置が求められている。
【０００３】
この防犯警備システムの形態としては、侵入者の存在を音や光で感知するパッシブセンサー等の機器装置を仮設住宅ごとに設置し、さらに各機器装置及びその配線部に電源供給手段を共有して個別に設けられるのが通例である。
【０００４】
従来、構造物内部をすべてカバーできるユニット式警備システムを設けた仮設住宅やテント式構造物に設けた装置については、特許文献１や特許文献２に既に開示されている。
【０００５】
すなわち、特許文献１には、仮設住宅内の所定の位置に着脱手段としての基部材を設け、この基材部に生体の存在を感知する感知装置等を設置した仮設住宅に関する発明が開示されている。また、特許文献２には、単一のテント内に検知線を設け、この検知線をセンサーシートと接続するようにした警備装置の発明が開示されている。
【０００６】
さらに、特許文献３はの考案には、パッシブセンサー、電話加入回線等を１つの函体内に一括して内蔵した防犯装置の考案が開示されている。
【０００７】
【特許文献１】
特許第３１０３９３２号
【特許文献２】
特開平１０−４０４７３号
【特許文献３】
実用新案登録第３０７２２７０号
【０００８】
【発明が解決しようとする課題】
しかしながら、特許文献１に開示する発明では、各機器装置がユニット化した状態で出入口等に着脱できるようにされているため、これらの機器装置は、簡単に設置し、また移動させることができる。従って、侵入者は、各機器装置の配置場所を視覚により容易に発見（認識）できるのに加えて、その機器装置を容易に移動させることが可能である。このため、侵入者は各機器装置の設置を発見して、その配線部を切断したり、その機器装置を破損したりすることが可能であるので、防犯警備は設備としての安全性に欠け、不十分である。
【０００９】
引用文献２の発明の警備装置は、閉ループを形成する導電性の検知線を張り巡らせてなるセンサシートを設けた警備用センサとテント式構造物に関するものである。しかし、テント式構造物を複数連結して使用することを意図したものではないので、その複数を併用するのは困難であり、また特別な配線と工事が個別に行うことが必要である。
【００１０】
実用新案文献１の考案は、１つの携帯用の函体内にパッシブセンサー等の装置を一体的に組み込んだ構成である。この考案でも、パッシブセンサー等の機器装置の設置やその配線については、個別に行うことが必要である。
【００１１】
そこで、本発明は、上記した従来例での欠点を解消し、ユニットハウスの組立て又は組合せ施工時に、ユニットハウス内におけるパッシブセンサー等の警備装置の設置を同時に行い、さらにその配線部の結線についても簡単にあるいは同時に行うことが可能であると共に、防犯警備として安全性を保持し、かつ十分に機能するセキュリティーハウスを提供することを目的とした。
【００１２】
【課題を解決するための手段】
上記した目的を達成するため、本発明のセキュリティーハウスは、警備装置であるパッシブセンサーとその配線部とをユニットハウスの天井部に予め内蔵すると共に、前記パッシブセンサー及び配線部は電源設備を共有しており、このユニットハウスの組立て場所において、その組立て施工時にその配線部を前記電源設備と接続するようにしたことを特徴とする。
【００１３】
上記した本発明のセキュリティーハウスは、ユニットハウスの単数棟又は複数棟を組立てあるいは組み合わせて構成される仮設の建築物である。すなわち、本発明のセキュリティーハウスは、単数棟のユニットハウスを組立てることにより構成されるほか、複数棟のユニットハウスを連結して組合わせて構成するものである。
【００１４】
本発明のセキュリティーハウスでは、ユニットハウスには予め警備装置であるパッシブセンサーが内蔵されているので、ユニットハウスの組立てあるいは組合せ施工と同時に警備装置であるパッシブセンサーが配備されることになる。従って、ユニットハウスの組立てあるいは組合せ施工後に、警備装置であるパッシブセンサーの設置を行う必要はない。
【００１５】
さらに、パッシブセンサーの配線部についても、ユニットハウスに予め内蔵して設けられているので、組立て施工後のユニットハウスに配線部の配線作業を個別に行う必要がない。また、セキュリティーハウスが複数棟のユニットハウスを組合せてなる場合、各ユニットハウスにおける配線部間の結線作業についても、ユニットハウスの組合せ施工後に、モジュールコードの結線端子をモジュールプレートに差し込む等の簡易な作業で行うことができるほか、後記するように、ユニットハウスの組合せ時に自動的に行うこともできる。
【００１６】
本発明のセキュリティーハウスにおけるパッシブセンサーとしては、人の体温を感知する温度感知センサーや人の行動を感知するの生態感知センサー等を利用することができる。このようなパッシブセンサーにより、セキュリティーハウス内に侵入した侵入者の存在を感知することができる。
【００１７】
パッシブセンサーやその配線部をユニットハウスの天井部分に内蔵する構成とは、少なくともパッシブセンサーを天井部に取り付けることを意味し、これには、パッシブセンサーの一部又は全体をユニットハウスの天井部に設けた凹部内に収納して内蔵する構成なども含まれる。
【００１８】
このパッシブセンサーやその配線部を内蔵する構成により、パッシブセンサーや配線部の存在を、侵入者がユニットハウスの室内で視覚で認識するのが困難な構成とすることができるので、本発明における警備（セキュリティー）機能は万全であり、その警備機能を安全かつ十分に発揮させることができる。
【００１９】
セキュリティーハウスが複数棟のユニットハウスを組合せてなる場合、各ユニットハウスを組み合わせ作業と連動して、各ユニットハウスの配線部が相互に結線される構成を含む。
【００２０】
上記したユニットハウスを組み合わせてなる構成の場合、複数棟のユニットハウスを組合せ施工の完了とほぼ同時に、このセキュリティーハウスにおけるパッシブセンサーの設置やその配線部の結線を完了させることができるので、従来必要とされた機器装置等の設置等ための時間と工事費を大幅に短縮して、このセキュリティーハウスにおける警備システムをより経済的に構成することができる。また、ユニットハウスの組合せ施工法は、単数棟のユニットハウスを上下もしくは横に連結するだけであり、仕様が決まっているので、建物の形状に合わせた警備機器の個別の見積りをその都度行う必要がない。さらに、ユニットハウスの撤去時（解体時）にも、配線部の結線についてはその結線部分をワンタッチで取り外すだけでよく、警備装置の撤去作業が大幅に軽減できるので、点検後、そのまま次の現場で再利用することも可能である。
【００２１】
本発明には、さらに、ユニットハウスに通報装置と制御装置とを設け、前記パッシブセンサーからの生態の感知信号を受けて前記通報装置が動作するように制御装置により制御するようにした構成を含む。この通報装置としては、ベル等の威嚇装置や電話利用回線等を利用することができる。
【００２２】
威嚇装置によれば、制御装置がパッシブセンサーからの生態の感知信号を受けて威嚇音を発するから、その威嚇音によって侵入者をセキュリティーハウス内から撃退するのに有効である。
【００２３】
電話利用回線は、その回線を通じ、予め登録してある警備会社等の登録者のもとに生体の存在を感知して、侵入者の存在を報知できる。この報知により、登録者に対して、その侵入者を排除するように命令することができる。
【００２４】
上記したパッシブセンサーやその配線部等には、このセキュリティーハウスに集中して設けられている電源設備から電源の供給を受け、その機能が有効に発揮される。
【００２５】
【発明の実施の形態】
本発明の実施の形態を図に基づいて説明する。図１には、セキュリティーハウス１を示す。セキュリティーハウス１は、１階部分１Ａと２階部分１Ｂとの２階で構成されている。セキュリティーハウス１の各階は、単数棟のユニットハウス２を横向きにそれぞれ５連ずつ組合わせたものをさらに上下に組合わせたものである。また、先にユニットハウス２を上下に組合わせたものを、さらに、横向きに組み合わせることによってもセキュリティーハウス１を同様に構成できる。２ａはユニットハウス２に設けられている窓部であり、２ｄはユニットハウス２の柱である。
【００２６】
各ユニットハウス２には、予め配線部３が内蔵されている。また、隣接するユニットハウス２の配線部３の間は、結線部５において相互に結線される。
【００２７】
各ユニットハウス２の間の結線部５では、図２に示すように、配線部３の端部がモジュールプレート６に連結され、隣接するユニットハウス２のモジュールプレート６の間は、モジュールコード７によりそれぞれ結線されるようになっている。
【００２８】
図２に示すように、各モジュールプレート６には、凹形のモジュール６ａが設けられており、このモジュール６ａにモジュールコード７の結線端子７ａを手作業で挿入するだけで、簡単かつ迅速に結線作業を行うことができる。７ｂは係止ピンであり、この係止ピン７ｂで結線端子７ａはモジュール６ａの内面に固定的に保持される。
【００２９】
配線部３は、図３及び図４に示すように、モール３ａ、３ｂにより目隠しされている。モール３ａ、３ｂはユニットハウス２の天井部１２の壁部の外表面にモール３ａ、３ｂがネジ止めする方法や粘着する方法により取り付けられている。これらのモール３ａ、３ｂにより、配線部３はユニットハウス２の天井部１２に内蔵された配線部３については、侵入者が視覚により容易に発見することが困難であるから、警備上の安全性が確保される。なお、１３は、ユニットハウス２の側壁である。
【００３０】
前記したように、モジュールコード７による結線作業は極めて容易な操作で行うことができるので、ユニットハウス２の組立て施工後に、配線部３の結線作業を迅速に済ませることができる。なお、１１はユニットハウス２の照明機具であり、１１ａは照明機具１１の配線コードである。配線コード１１ａについてもモール３ａ、３ｂに内装させておくことができる。
【００３１】
ユニットハウス２の撤去（解体）の場合でも同様に、モジュールコード７の結線端子７ａの係止ピン７ｂを解除して、各結線端子７ａをモジュール６ａから離脱させることができる。このように、ユニットハウス２の撤去作業を容易に行うことができ、また解体したユニットハウス２の構成材を再利用することもできる。しかも、この再利用に係るユニットハウス２についても、前記した警報設備をそのまま保持させることができる。
【００３２】
本発明では、ユニットハウス２の天井部１２に、予めモジュールコード７と同様の機能を有する部分を設けておき、ユニットハウス２の組合わせ時に配線部３の間が自動的に結線されるようにした構成にすることもできる。具体的には、図５に示すように、ユニットハウス２の梁２ｂの部分に切欠き部２ｃをそれぞれ設け、これらの切欠き部２ｃにモジュールプレート６０又は６１をそれぞれ嵌入して内蔵した構成とする場合である。
【００３３】
上記の場合、モジュールプレート６０には雌型ターミナルが設けられ、これに対応して嵌め合わせる雄型ターミナル６２がモジュールプレート６１に設けられている。このため、各ユニットハウス２の組み合わせ施工時に、各ユニットハウス２の梁２ｃを合わせた時点で、モジュールプレート６０の雌型ターミナルとモジュールプレート６１の雄型ターミナル６２とが自動的に連結される。
【００３４】
このように、複数のユニットハウス２の組合せ施工時に、モジュールプレート６０と６１との間が連結される結果、各配線部３の間が各ユニットハウス２の組合せ施工時に自動的に結線されることになるので、モジュールコード７による結線作業を個別に行う必要がなく、各配線部３の間の結線作業をより短時間以内で完了させることができる。
【００３５】
このように、各ユニットハウス２の組合せ施工時に、各配線３が結線されるので、各ユニットハウス２自体の組合せ状態を制御装置に通電して別に設けたモニターに表示して、施工後の各ユニットハウス２について、その組合せ状態を確認することもできる。
【００３６】
パッシブセンサー８は、予め各ユニットハウス２の室内における隅部や中間部付近の天井部１２に内蔵して設置されている。パッシブセンサー８としては、人の体温を自動的に感知する体温感温センサーや、生態の動きを感知する生態感知センサー等を利用することができる。すなわち、侵入者が当該セキュリティーハウス１の内部に侵入したときに、その侵入者の体温や体動を感知することができる。
【００３７】
パッシブセンサー８はユニットハウス２の天井部１２に内蔵する構成は、パッシブセンサー８を天井部１２に直接取り付けることを意味し、これには、パッシブセンサー８を天井部１２の凹部内に内装させた構成なども含まれる。さらに、天井部１２に取り付けたパッシブセンサー８の周囲に目隠し用のブラインド８ａを設けることができる。ブラインド８ａを設けることにより、侵入者がパッシブセンサー８の存在を視覚で認識でき、侵入者によりパッシブセンサー８が破損されるのをより困難な構成とすることもできる。
【００３８】
上記したパッシブセンサー８を内蔵する構成により、ユニットハウス２の内部において、侵入者がパッシブセンサー８を視覚により認識するのを困難とし、パッシブセンサー８が破損されるのを防止できるから、ユニットハウス２において、警備装置としての機能を安全かつ十分に発揮させることができる。
【００３９】
セキュリティーハウス１を構成するユニットハウス２には、制御装置９が集中して設けられている。パッシブセンサー８からの感知信号を制御装置９で受けて、制御装置９と連設されている威嚇ベルを発振し、これにより侵入者を撃退したり、その行動を抑制することができる。また、制御装置９の制御機能により、電話利用回線と接続し、当該セキュリティーハウス１内への侵入者が存在することを警備会社等に直ちに報知することもできる。
【００４０】
さらに、セキュリティーハウス１を構成するいずれかのユニットハウス２には、前記した各パッシブセンサー８等を機能させるための電源設備１０が集中して設けられている。電源設備１０により、パッシブセンサー８等の警報装置に通電され、その機能が発揮される。
【００４１】
上記の制御装置９や電源設備１０は、侵入者が発見するのが困難な位置、例えば、セキュリティーハウス１を構成する２階以上を構成しているユニットハウス２に設置されていることが好ましい。すなわち、制御装置９や電源設備１０を集中して安全な位置に設けることにより、セキュリティーハウス１における警報設備の安全を確保することができる。
【００４２】
【発明の効果】
上述したように本発明は構成されることから、次のような効果が発揮される。本発明のセキュリティーハウスでは、予め警備装置であるパッシブセンサーとその配線部とが、ユニットハウスの天井部に内蔵して設けられていることから、ユニットハウスの組立てや組合せ施工するだけで、パッシブセンサーの機器装置を設置できると共に、その配線部の結線を容易に行うことができる。このため、ユニットハウスの組立てや組合せ施工時に、各機器装置の設置やその配線部の結線を個別に行う必要がないので、従来、警報装置の設置等に必要とされた作業時間や工事費を大幅に短縮することができる。しかも、パッシブセンサーは、侵入者が視覚による認識や破損が困難な位置に設置されるから、警報装置としての機能を安全かつ十分に発揮させることができる。
【００４３】
また、ユニットハウスの複数棟の組み合わせ施工時に、各ユニットハウスの配線部が相互に結線されるように構成されている場合には、各ユニットハウスの組合せ作業の完了と同時に、各配線部の結線が完了することになるので、各ユニットハウスごとの結線作業を省略することができる。また、ユニットハウスごとの組合せ状態の良否を電気的にモニターに表示することも可能となる。
【００４４】
ユニットハウスに通報装置と制御装置とを設けて構成する場合には、パッシブセンサーからの感知信号を受けて、前記制御装置の制御により、前記通報装置が動作するようにすることにより、侵入者を威嚇して撃退したり、電話利用回線を介して通報を得ることができるので、ユニットハウスにおける防犯機能に完全を期することができる。
【００４５】
また、ユニットハウスでは組立て又は組合せの仕様が決まっているので、建物の形状に合わせた個別の設置や見積もりをその都度行う必要がなくなった。また、セキュリティーハウスの撤去時においても、そのユニットハウスの撤去（解体）作業は、パッシブセンサー等の機器装置の配置代えを行う必要がなく、また配線部の結線を容易に離脱できるので、撤去時の作業を大幅に軽減できる。さらに点検後、そのまま次の現場で再利用することができるので、経済的に利用することができる。
【００４６】
このように、本発明のセキュリティーハウスは、組立てあるいは組合せにかかるユニットハウスの内部の全てをカバーできる警備システムを提供するものである。
【図面の簡単な説明】
【図１】本発明の実施の形態に係る複数棟のユニットハウスを２階に組み合わせてなるセキュリティーハウスについて、その各階を分離した状態で示す平面図である。
【図２】本発明の実施の形態に係るセキュリティーハウスにおける配線部の結線形態を説明する正面図である。
【図３】本発明の実施の形態に係るセキュリティーハウスにおける天井面の形態を示す平面図である。
【図４】本発明の実施の形態に係るセキュリティーハウスの天井の立体的形態を説明する拡大斜視図である。
【図５】本発明の実施の形態に係るセキュリティーハウスの天井部の立体的形態を説明する拡大斜視図である。
【符号の説明】
１  セキュリティーハウス
１Ａ  １階部分
１Ｂ  ２階部分
２  ユニットハウス
２ａ  窓部
２ｂ  梁
２ｃ  切欠き部
２ｄ  柱
３  配線部
５  結線部
６  モジュールプレート
６ａ  モジュール
７  モジールコード
７ａ  結線端子
８  パッシブセンサー
８ａ  ブラインド
９  制御装置
１０  電源設備
１１  照明機具
１１ａ  配線コード
６０、６１  モジュールプレート
６２  雄型ターミナル
【図１】
2004310535.tif 000003
【図２】
2004310535.tif 000004
【図３】
2004310535.tif 000005
【図４】
2004310535.tif 000006
【図５】
2004310535.tif 000007